(57)【要約】【課題】回路遮断器を構成する部品点数の増加を抑制すること。【解決手段】分岐ブレーカ（回路遮断器）は、収容部本体４２と、収容部カバー４３と、プラグインカバー４４を有している。プラグイン端子５２ａは、プラグインカバー４４と収容部カバー４３とに挟み込まれている。プラグイン端子５２ｂ，５２ｃは、プラグインカバー４４と収容部本体４２とに挟み込まれている。【選択図】図１１
2015198497.tif 000002
【特許請求の範囲】
【請求項１】
中性極用の導電バーと電圧極用の一対の導電バーとを備える単相３線用の分電盤に用いられる回路遮断器であって、
部品を収容する収容部本体と、
前記収容部本体を覆う収容部カバーと、
前記収容部本体及び前記収容部カバーの１つの側面を覆い、前記導電バーが挿入される差込溝を有するプラグインカバーと、
前記プラグインカバーと前記収容部本体または前記収容部カバーとにより挟み込まれ、前記導電バーに接続される複数のプラグイン端子と、
を有することを特徴とする回路遮断器。
【請求項２】
前記差込溝は前記導電バーに沿って形成され、
前記プラグインカバーは、前記差込溝の方向において前記複数のプラグイン端子を位置決めするように形成されてなること、を特徴とする請求項１に記載の回路遮断器。
【請求項３】
前記中性極用の導電バーに接続される前記プラグイン端子は前記プラグインカバーと前記収容部カバーとに挟み込まれ、
前記電圧極用の一対の導電バーに接続される一対の前記プラグイン端子は前記プラグインカバーと前記収容部本体とに挟み込まれること、
を特徴とする請求項１または２に記載の回路遮断器。
【発明の詳細な説明】
【技術分野】
【０００１】
本発明は、回路遮断器に関する。
【背景技術】
【０００２】
従来、回路遮断器は分電盤等に取り付けられ、過電流等に基づいて負荷への給電を遮断する。このような回路遮断器の１つにプラグイン方式の回路遮断器がある。この回路遮断器は電源側接続端子と負荷側接続端子とを有し、電源側接続端子が、例えば分電盤に配設された複数の導電バーに対して接離される（例えば、特許文献１参照）。このようなプラグイン方式の回路遮断器は、分電盤等に対する増設や取り外しが容易であるという点で施工性に優れている。
【０００３】
ところで、例えば一般家庭において、単相３線式の電路が敷設される場合がある。このような場合、分電盤等には、単相３線式の電路に対応する３極の分岐ブレーカが取着される。
【先行技術文献】
【特許文献】
【０００４】
【特許文献１】特開２００９−２８９４８４号公報
【発明の概要】
【発明が解決しようとする課題】
【０００５】
ところで、上記のように、分電盤等に取着される３極のブレーカにおいて、導電バーへの接続の信頼性を確保するために３つの電源側端子の位置決めをする必要がある。そして、この電源側端子の位置決めは、分岐ブレーカにおける部品点数を増加させることがある。このため、３極の分岐ブレーカにおいて部品点数の削減が求められる。
【０００６】
本発明は、上記課題を解決するためになされたものであって、その目的は、部品点数の増加を抑制することにある。
【課題を解決するための手段】
【０００７】
上記課題を解決するために、中性極用の導電バーと電圧極用の一対の導電バーとを備える単相３線用の分電盤に用いられる回路遮断器であって、部品を収容する収容部本体と、前記収容部本体を覆う収容部カバーと、前記収容部本体及び前記収容部カバーの１つの側面を覆い、前記導電バーが挿入される差込溝を有するプラグインカバーと、前記プラグインカバーと前記収容部本体または前記収容部カバーとにより挟み込まれ、前記導電バーに接続される複数のプラグイン端子とを有する。
【０００８】
また上記構成において、前記差込溝は前記導電バーに沿って形成され、前記プラグインカバーは、前記差込溝の方向において前記複数のプラグイン端子を位置決めするように形成されてなることが好ましい。
【０００９】
また上記構成において、前記中性極用の導電バーに接続される前記プラグイン端子は前記プラグインカバーと前記収容部カバーとに挟み込まれ、前記電圧極用の一対の導電バーに接続される一対の前記プラグイン端子は前記プラグインカバーと前記収容部本体とに挟み込まれることが好ましい。
【発明の効果】
【００１０】
本発明の回路遮断器によれば、部品点数の増加を抑制することができる。
【図面の簡単な説明】
【００１１】
【図１】分電盤の斜視図である。
【図２】ハウジングカバーを外した状態の分電盤の一部を示す正面図である。
【図３】分岐ブレーカ取付台の一部断面斜視図である。
【図４】分岐ブレーカの斜視図である。
【図５】分岐ブレーカの正面図である。
【図６】分岐ブレーカの側面図である。
【図７】分岐ブレーカの背面図である。
【図８】分岐ブレーカの一部断面図である。
【図９】分岐ブレーカの分解斜視図である。
【図１０】プラグインカバーとプラグイン端子の関係を示す説明図である。
【図１１】収容部本体と収容部カバーに対するプラグイン端子を示す斜視図である。
【図１２】ベースの斜視図である。
【図１３】分岐ブレーカの一部断面図である。
【発明を実施するための形態】
【００１２】
以下、一実施形態を説明する。
先ず、分電盤について説明する。
図１に示すように、分電盤１０は、収容空間を有するハウジング１１を有し、このハウジング１１は、たとえば住宅の壁面に取着される。なお、以下の説明において、分電盤１０を住宅の壁面に取り付けを行った際の鉛直方向を分電盤の上下方向、壁面と直交する方向を分電盤１０の前後方向、上下方向及び前後方向と直交する方向を分電盤１０の左右方向として説明を行う。また、一部の図においては矢印付きで各方向を示している。
【００１３】
ハウジング１１は、矩形状のハウジングベース１２と、ハウジングベース１２の開口部を覆うハウジングカバー１３とを有する。ハウジングカバー１３にはそのハウジングカバー１３の前面を覆うドア１４が開閉（回動）可能に取着されている。ハウジング１１には主幹ブレーカ３１、分岐ブレーカ３２，４０が収容されている。
【００１４】
分岐ブレーカ３２は、たとえば照明器具や給湯設備等の機器、差込接続装置のコンセント（アウトレット）や壁スイッチ等の配線器具が負荷に対応するものである。分岐ブレーカ４０は、分岐ブレーカ３２より高い定格電流の負荷に対応したものである。
【００１５】
図２に示すように、ハウジングベース１２には分岐ブレーカ取付台２０が取着されている。分岐ブレーカ３２，４０は分岐ブレーカ取付台２０に取り付けられている。
図３に示すように、分岐ブレーカ取付台２０は、底板２１と、分岐ブレーカ３２を後方から支持する支持部材２２と、分岐ブレーカ３２の前方側を係止する結束部材２３とを有している。底板２１は板金（鉄板）よりなり、図２に示すハウジングベース１２に固定される。支持部材２２は合成樹脂成形品である。
【００１６】
図３に示すように、分岐ブレーカ取付台２０は、底板２１と、支持部材２２と、結束部材２３とを有している。底板２１は板金（鉄板）よりなり、図２に示すハウジングベース１２に固定される。支持部材２２は底板２１に取着され、分岐ブレーカ３２を支持する。結束部材２３は、分岐ブレーカ３２を係止する。なお、図３では示されていないが、図２に示す分岐ブレーカ４０は、分岐ブレーカ３２と同様に、支持部材２２により支持され、結束部材２３により係止される。
【００１７】
本実施形態の分電盤１０の配線方式として単相３線式を想定しており、支持部材２２には３つの導電バー２４，２５，２６が固定されている。導電バー２４は、図１に示す主幹ブレーカ３１の中性極（Ｎ相）に接続される中性バーである。導電バー２５は主幹ブレーカ３１の第１の電圧極（Ｌ１相）に接続される電極バーである。導電バー２６は主幹ブレーカ３１の第２の電圧極（Ｌ２相）に接続される電極バーである。
【００１８】
導電バー２４は導電材料により細長の板状に形成され、支持部材２２の支持ポスト２２ａ上端に固定されている。導電バー２５，２６は導電材料により形成され、細長の板状に形成され、支持部材２２に固定されている。導電バー２５，２６にはそれぞれ複数の接続端子２５ａ，２６ａが一体に形成されている。各接続端子２５ａ，２６ａは、導電バー２４の長手方向（図３において左右方向）に沿って所定の間隔（分岐ブレーカ３２の配列間隔）にて突出するように形成されている。また、各接続端子２５ａ，２６ａは、それぞれ前後方向に沿って配列される。なお、図３では、下側に向かって突出する接続端子２５ａ，２６ａが示されているが、導電バー２５，２６には上側に向かって突出する接続端子が一体に形成されている。
【００１９】
支持部材２２の前面には、前方に突出する複数の支持片２７が左右方向に等ピッチで形成されている。また、支持部材２２の前面には、前方に突出するとともに先端部が下方に向かって延設された逆Ｌ字状の保持片２８が左右方向に等ピッチで形成されている。なお、支持部材２２の上部には、支持ポスト２２ａを対称軸として支持片２７と保持片２８が同様に形成されている。これら支持片２７及び保持片２８の配列ピッチは、分岐ブレーカ３２の形状（左右方向の幅）に応じて設定されている。
【００２０】
支持片２７は、分岐ブレーカ３２の側面に当接し、その分岐ブレーカ３２の幅方向（図３において左右方向）の移動を規制する。保持片２８は、分岐ブレーカ３２の側面に形成された保持溝３２ａに引掛係止して当該分岐ブレーカ３２が差込方向（図３において上下方向）と直交する方向への移動を規制する。
【００２１】
次に、上記の分電盤に装着される分岐ブレーカ４０について説明する。
図４〜図８に示すように、分岐ブレーカ４０は、概略矩形箱状をなす筐体４１を有している。この筐体４１は、収容部本体４２と、収容部カバー４３と、プラグインカバー４４を有している。
【００２２】
収容部本体４２は、合成樹脂材料によって、前面が開口し略矩形箱状に形成されている。収容部カバー４３は、合成樹脂材料によって、後面が開口し略矩形箱状に形成され、収容部本体４２前面の開口を塞ぐよう取着される。そして、収容部本体４２と収容部カバー４３により形成される収容空間に、接点装置等の回路遮断器を構成する部品が収容されている。
【００２３】
図７に示すように、プラグインカバー４４は、収容部本体４２の上面４２ａ及び収容部カバー４３の上面４３ａを覆うように形成されている。収容部カバー４３は、収容部本体４２に対してねじ１０１により固定される。さらに、プラグインカバー４４と収容部カバー４３は、収容部本体４２に対してねじ１０２により固定される。
【００２４】
図９に示すように、収容部本体４２は、その上面から上方に向かって突出する係止部４２ｂを有している。そして、プラグインカバー４４には、係止凹部４４ａが形成されている。収容部本体４２の係止部４２ｂとプラグインカバー４４の係止凹部４４ａにより、プラグインカバー４４は、収容部本体４２の上面を覆う位置に固定される。
【００２５】
図７に示すように、プラグインカバー４４には、上記の導電バー２４及び接続端子２５ａ，２６ａ（図３参照）に応じた３つの差込溝５１ａ，５１ｂ，５１ｃが凹設されている。そして、プラグインカバー４４には、各差込溝５１ａ，５１ｂ，５１ｃのそれぞれにプラグイン端子５２ａ，５２ｂ，５２ｃが収容されている。
【００２６】
図１０に示すように、プラグインカバー４４の差込溝５１ａに対して左右方向（分岐ブレーカ４０の幅方向）の中央に収容部５３ａが形成され、その収容部５３ａにプラグイン端子５２ａが配設されている。また、差込溝５１ｂに対して右端側に収容部５３ｂが形成され、その収容部５３ｂにプラグイン端子５２ｂが収容されている。さらに、差込溝５１ｃに対して左端側に収容部５３ｃが形成され、その収容部５３ｃにプラグイン端子５２ｃが収容されている。各プラグイン端子５２ａ〜５２ｃは、収容部５３ａ〜５３ｃによって左右方向と前後方向の移動が規制されている。
【００２７】
そして、図１１に示すように、このプラグインカバー４４（一点鎖線にて示す）は、収容部本体４２の上面４２ａと、収容部カバー４３の上面４３ａを覆うように取着される。
図１１に示すように、収容部本体４２の上面４２ａには、各プラグイン端子５２ａ〜５２ｃに接続される配線（図示略）を収容部本体４２内に引き込むための切り欠き４２ｅが形成されている。
【００２８】
そして、収容部カバー４３には、その左右方向中央から収容部本体４２に向かって突出する係止部４３ｂが一体に形成されている。そして、係止部４３ｂの上面、つまり収容部カバー４３の上面４３ａは、収容部本体４２の上面４２ａと面一となるように形成されている。
【００２９】
したがって、プラグイン端子５２ａは、プラグインカバー４４と収容部カバー４３（係止部４３ｂ）との間に挟み込まれる。そして、プラグイン端子５２ａは、プラグインカバー４４と収容部カバー４３（係止部４３ｂ）とにより上下方向に位置決めされる。また、プラグイン端子５２ｂ，５２ｃは、プラグインカバー４４と収容部本体４２（上面４２ａ）との間に挟み込まれる。したがって、プラグイン端子５２ｂ，５２ｃは、プラグインカバー４４と収容部本体４２とにより上下方向に位置決めされる。
【００３０】
図５に示すように、収容部本体４２には、３つの負荷端子板６１が設けられている。
図８に示すように、負荷端子板６１は、収容部本体４２に対してその収容部本体４２の背面４２ｃからねじ１０３により固定されている。そして、収容部本体４２の背面４２ｃには、ベース４５がねじ１０４によって収容部本体４２に固定されている。ベース４５は合成樹脂材料よりなる。これにより、負荷端子板６１を固定するねじ１０３は、図６に示すように、ベース４５により覆われ、収容部本体４２の背面に対して露出しない。
【００３１】
図５に示すように、収容部カバー４３の下端には凹部４３ｄが形成され、その凹部４３ｄにより、負荷端子板６１に螺入された取付ねじ６２がドライバ等の工具によって操作可能である。なお、収容部本体４２と収容部カバー４３とに、図４に示すように端子カバー４６が取着され、取付ねじ６２や負荷端子板６１に対する直接的な接触が防止される。
【００３２】
図７に示すように、収容部本体４２の側面４２ｄには、図３に示す保持片２８が挿入される挿入溝７１が形成されている。
また、図１３に示すように、収容部本体４２には、保持片２８が挿入される挿入溝７２，７３（挿入溝７３については図６参照）が形成されている。この挿入溝７２，７３は、図３に示す支持片２７も挿入可能に形成されている。
【００３３】
図１２に示すように、ベース４５には、図１３に示す収容部本体４２の挿入溝７１に対応する切り欠き部８１が形成されている。また、ベース４５には、２つのスリット８２，８３が形成されている。これらのスリット８２，８３は、図６に示す収容部本体４２の挿入溝７２，７３に対応する位置に形成されている。つまり、これらのスリット８２，８３は、図３に示す支持片２７と保持片２８が挿通可能に形成されている。
【００３４】
そして、図７に示すように、ベース４５の基部４５ａは、ベース４５の裏面側において、挿入溝７１の一部（ベース４５の下端側）を覆うように形成されている。これにより、収容部本体４２の挿入溝７１とベース４５は、保持片２８に対応する逆Ｌ字状の保持溝９１を形成する。同様に、図１３に示す挿入溝７２（７３）は、ベース４５とにより、保持片２８に対応する保持溝９２（９３）を形成する。したがって、分岐ブレーカ取付台２０に形成された３つの保持片は、保持溝９１，９２，９３に引掛係止して当該分岐ブレーカ４０が差込方向（たとえば図４において上下方向）と直交する方向への移動を規制する。
【００３５】
次に、上記の分岐ブレーカ４０の作用を説明する。
図１０に示すように、差込溝５１ａに対応するプラグイン端子５２ａは分岐ブレーカ４０の中央（幅方向（左右方向）中央）に配設されている。このプラグイン端子５２ａは、プラグインカバー４４と収容部カバー４３とに挟み込まれ、位置決めされている。差込溝５１ｂ，５１ｃに対応するプラグイン端子５２ｂ，５２ｃは分岐ブレーカ４０の両端部に配設されている。図１１に示すように、これらのプラグイン端子５２ｂ，５２ｃは、プラグインカバー４４と収容部本体４２とに挟み込まれ、位置決めされている。したがって、この分岐ブレーカ４０は、３極のプラグイン端子５２ａ〜５２ｃを、プラグインカバー４４と収容部カバー４３と収容部本体４２の３つの部品により保持と位置決めする。
【００３６】
このため、分岐ブレーカ４０を分岐ブレーカ取付台２０に取着する際に、プラグイン端子５２ａに導電バー２４が確実に差し込まれ、プラグイン端子５２ｂ，５２ｃに接続端子２５ａ，２６ａが確実に差し込まれる。これにより、接続信頼性が確保される。
【００３７】
プラグイン端子５２ａは、収容部カバー４３に形成された係止部４３ｂに当接されている。係止部４３ｂは、矩形箱状に形成された収容部カバー４３の側壁に近いため、プラグイン端子５２ａが当接する部分は撓み難い。したがって、分岐ブレーカ４０のプラグイン時に、挿入に係る力によってこれらのプラグイン端子５２ａに対して導電バー２４を容易に差し込むことができる。同様に、プラグイン端子５２ｂ，５２ｃは、収容部本体４２の上面４２ａにおいて、分岐ブレーカ４０の幅方向における端部に配置されている。この端部は、矩形箱状に形成された収容部本体４２の側壁に近いため、プラグイン端子５２ｂ，５２ｃが当接する部分は撓み難い。したがって、分岐ブレーカ４０のプラグイン時に、挿入に係る力によってこれらのプラグイン端子５２ｂ，５２ｃに対して接続端子２５ａ，２６ａを容易に差し込むことができる。
【００３８】
収容部本体４２とベース４５とは、３つの保持溝９１，９２，９３を形成し、これらの保持溝９１，９２，９３にそれぞれ分岐ブレーカ取付台２０の保持片２８と引掛係止して当該分岐ブレーカ４０が差込方向と直交する方向への移動を規制する。したがって、分岐ブレーカ４０に対して接続された容量の大きな配線による応力による分岐ブレーカ４０の脱落が起こり難い。
【００３９】
以上記述したように、本実施形態によれば、以下の効果を奏する。
（１）差込溝５１ａに対応するプラグイン端子５２ａは分岐ブレーカ４０の中央（幅方向（左右方向）中央）に配設されている。このプラグイン端子５２ａは、プラグインカバー４４と収容部カバー４３とに挟み込まれ、位置決めされている。差込溝５１ｂ，５１ｃに対応するプラグイン端子５２ｂ，５２ｃは分岐ブレーカ４０の両端部に配設されている。プラグイン端子５２ｂ，５２ｃは、プラグインカバー４４と収容部本体４２とに挟み込まれ、位置決めされている。したがって、この分岐ブレーカ４０は、３極のプラグイン端子５２ａ〜５２ｃを、プラグインカバー４４と収容部カバー４３と収容部本体４２の３つの部品により保持と位置決めすることができる。
【００４０】
（２）分岐ブレーカ４０を分岐ブレーカ取付台２０に取着する際に、プラグイン端子５２ａに導電バー２４が確実に差し込まれ、プラグイン端子５２ｂ，５２ｃに接続端子２５ａ，２６ａが確実に差し込まれる。これにより、接続信頼性を確保することができる。
【００４１】
（３）収容部本体４２とベース４５とは、３つの保持溝９１，９２，９３を形成し、これらの保持溝９１，９２，９３にそれぞれ分岐ブレーカ取付台２０の保持片２８と引掛係止して当該分岐ブレーカ４０が差込方向と直交する方向への移動を規制する。したがって、分岐ブレーカ４０に対して接続された容量の大きな配線による応力による分岐ブレーカ４０の脱落を低減することができる。
【００４２】
なお、上記各実施形態は、以下の態様で実施してもよい。
・上記実施形態に対し、３つのプラグイン端子５２ａ〜５２ｃの配置位置を適宜変更してもよい。
【００４３】
・上記実施形態では、３つのプラグイン端子５２ａ〜５２ｃを備えたが、２極または４極以上、つまり２つまたは４つ以上プラグイン端子を備えた回路遮断器としてもよい。
・上記実施形態では、３つの保持溝９１〜９３により分岐ブレーカ４０を保持したが、保持溝の数を適宜変更してもよい。たとえば、保持溝９２，９３により分岐ブレーカ４０を保持するようにしてもよい。
【００４４】
・上記実施形態並びに上記変形例は適宜組み合わせてもよい。
【符号の説明】
【００４５】
４０…分岐ブレーカ（回路遮断器）、４２…収容部本体、４３…収容部カバー、４４…プラグインカバー、４５…ベース、５１ａ〜５１ｃ…差込溝、５２ａ〜５２ｃ…プラグイン端子。
【図１】
2015198497.tif 000003
【図２】
2015198497.tif 000004
【図３】
2015198497.tif 000005
【図４】
2015198497.tif 000006
【図５】
2015198497.tif 000007
【図６】
2015198497.tif 000008
【図７】
2015198497.tif 000009
【図８】
2015198497.tif 000010
【図９】
2015198497.tif 000011
【図１０】
2015198497.tif 000012
【図１１】
2015198497.tif 000013
【図１２】
2015198497.tif 000014
【図１３】
2015198497.tif 000015